(57)【要約】 【課題】簡単に施工でき、メンテナンス性にも優れ、かつ、優れた装飾効果が得られるバルコニーと、このバルコニーを施工した意匠性に優れた住宅建物とを提供する。【解決手段】矩形に枠組みされた床フレーム２上に、床板３を設けて構成され、床板３は、延設先端側から延設基端側に向かって低くなる水勾配が形成され、延設基端側に沿って排水溝３０が形成され、床フレーム２は、構造フレーム２１の周囲に化粧カバー２２が設けられるととに、構造フレーム２１の延設基端部の少なくとも何れか一方側には、床フレーム２上に設けられた床板３の排水溝３０と連通し、排水溝３０を流れる排水の流れを水平方向から下方向へと変える排水桝２０が設けられてなるバルコニー１。【選択図】図１
2006307545.tif 000002
【特許請求の範囲】
【請求項１】
矩形に枠組みされた床フレーム上に、床板を設けて構成されてなり、
床板は、延設先端側から延設基端側に向かって低くなる水勾配が形成されるとともに、延設基端側に沿って排水溝が形成されてなり、
床フレームは、構造フレームの周囲に化粧カバーが設けられるととに、構造フレームの延設基端部の少なくとも何れか一方側には、床フレーム上に設けられた床板の排水溝と連通し、排水溝を流れる排水の流れを水平方向から下方向へと変える排水桝が設けられてなることを特徴とするバルコニー。
【請求項２】
請求項１記載のバルコニーの構造フレームが、住宅建物の躯体から延設されたバルコニー取付位置の腕木に固定され、バルコニーの排水桝の少なくとも下側には、住宅建物の外壁表面に沿ってバルコニーと一体化する竪樋が設けられてなることを特徴とする住宅建物。
【発明の詳細な説明】
【技術分野】
【０００１】
本発明は、バルコニーと、このバルコニーを施工した住宅建物とに関するものである。
【背景技術】
【０００２】
従来より、住宅建物のバルコニーとしては、住宅建物の躯体からバルコニーに延設された床フレームに固定するようになされた床鋼板ユニットが知られている。この床鋼板ユニットは、塩化ビニルシートを合体させた薄板鋼板と、この薄板鋼板の裏面に設けられた断熱材とからなり、複数枚の床鋼板ユニットを床フレーム上に固定した後、隣接する床鋼板ユニット間のジョイント部分をシーリング材とパッチベルトで塞いでいた。また、バルコニー周囲の塩化ビニルシートの立ち上がり部分はアルミニウム製の水切りを被せて防水するようになされていた。
【０００３】
このような床鋼板ユニットを用いたバルコニーは、バルコニーの延設された先端側が低くなるように水勾配を取り、その先端側で手摺りと平行に設けた排水溝から排水管を下抜きして床フレーム内または床フレーム下に取り回して、この排水管と建物本体の縦樋と連通させていた（特許文献１参照）。
【０００４】
また、排水溝をバルコニーの延設基端部側に設けた床ユニット同士を接続し、床フレーム内や床フレーム下に排水管を取り回さなくても良いようになされたバルコニーも提案されている（特許文献２参照）。
【特許文献１】特開平１１−２２２９２１号公報
【特許文献２】特開２００２−１０６０５９号公報
【発明の開示】
【発明が解決しようとする課題】
【０００５】
しかし、上記従来の特許文献１記載のバルコニーの場合、排水管を下抜きして床フレーム内または床フレーム下に取り回しているので、床フレーム下に排水管を取り回した場合は外観が悪化することとなる。また、床フレーム内に排水管を取り回した場合はメンテナンス性が低下することとなる。
【０００６】
また、上記従来の特許文献２記載のバルコニーの場合、床フレーム内や床フレーム下に排水管を取り回さなくても良いが、何れにしてもバルコニーの外側に排水管を取り回して竪樋と連通させなければならないので、上記特許文献１記載のバルコニーの場合よりも排水管が目立たない外観にすることができる程度に過ぎない。
【０００７】
また、バルコニー上には、落ち葉や風で飛んできた塵などが溜まりやすくなるので、雨が降った際には、これらが排水溝を介して排水管に流入しやすくなる。通常は、これらが流入しないように排水溝や排水管の入り口部分にフィルタが設けられているが、万が一これらの落ち葉や塵などが流入した場合、排水管と竪樋との合流部分などにこれらの落ち葉や塵が詰まることが懸念される。このような場合、上記従来の特許文献１記載または上記特許文献２記載の何れのバルコニーであっても、一度排水管に流れて詰まったものを取り除いたりすることは、非常に煩わしくなる。
【０００８】
さらに、上記従来の特許文献１または特許文献２の何れのバルコニーの場合でっあっても、現場において複数枚のユニットを床フレーム上に固定するので、施工者の違いによって品質のバラツキが生じる可能性がある。そのため、施工現場にてその都度、ユニット同士のジョイント部分の防水を確認する試験を行わなければならなかった。また、バルコニーを構成する部品点数が多いため、施工に手間がかかり、コストが嵩むといった不都合を生じる。
【０００９】
本発明は係る実情に鑑みてなされたものであって、簡単に施工することができるとともに、メインテナンス性にも優れ、かつ、優れた装飾効果が得られるバルコニーと、このバルコニーを施工して意匠性に優れた住宅建物とを提供することを目的としている。
【課題を解決するための手段】
【００１０】
上記課題を解決するための本発明のバルコニーは、矩形に枠組みされた床フレーム上に、床板を設けて構成されてなり、床板は、延設先端側から延設基端側に向かって低くなる水勾配が形成されるとともに、延設基端側に沿って排水溝が形成されてなり、床フレームは、構造フレームの周囲に化粧カバーが設けられるととに、構造フレームの延設基端部の少なくとも何れか一方側には、床フレーム上に設けられた床板の排水溝と連通し、排水溝を流れる排水の流れを水平方向から下方向へと変える排水桝が設けられてなるものである。
【００１１】
また、上記課題を解決するための本発明の住宅建物は、上記バルコニーの構造フレームが、住宅建物の躯体から延設されたバルコニー取付位置の腕木に固定され、バルコニーの排水桝の少なくとも下側には、住宅建物の外壁表面に沿ってバルコニーと一体化する竪樋が設けられてなるものである。
【発明の効果】
【００１２】
以上述べたように、本発明によると、構造フレームに化粧カバーを設けた床フレームに床板を設けて構成しているので、現場では住宅建物の躯体から延設されたバルコニー取付位置の腕木に構造フレームの部分を載置して固定するだけで容易に施工することができる。また、バルコニーの雨水などは、床板の延設基端側に設けた排水溝から、バルコニーの床フレームの延設基端部の少なくとも何れか一方側に設けられた排水桝によって、直接竪樋へと排水することができる。したがって、別途に排水管を取り回したりすることなく簡単に施工することができる。
【００１３】
また、排水管の取り回しなどが必要なく、外壁に沿って設けた竪樋をバルコニーの排水桝と一致させるだけでよいので簡単に施工できるとともに、竪樋、排水桝などの排水経路のメインテナンスもバルコニーから容易に行うことができる。
【００１４】
さらに、外壁に沿って設けた竪樋が、バルコニーの一方側または両側から延びたように見せることができるので、住宅建物の外観の向上を図ることができることとなる。
【発明を実施するための最良の形態】
【００１５】
以下、本発明の実施の形態を図面を参照して説明する。
【００１６】
図１および図２はバルコニー１の全体構成の概略を示し、図３ないし６は同バルコニー１の要部の施工工程を示し、図７は同バルコニー１の施工完了状態を示している。
【００１７】
このバルコニー１は、床フレーム２に床板３を設けて構成されている。
【００１８】
床フレーム２は、構造フレーム２１と、この構造フレーム２１の周囲に設けられる化粧カバー２２と、構造フレーム２１の延設基端部の一方側に設けられる排水桝２０とによって構成されている。
【００１９】
構造フレーム２１は、主に溝型鋼材などからなる構造材を矩形に枠組みするとともに、枠内に適宜の間隔で中桟材を設けて構成されている。
【００２０】
化粧カバー２２は、構造フレーム２１を被覆することができるように断面略溝型に形成されたアルミニウムの押出し材によって形成されており、構造フレーム２１の周囲のうち、両側と延設先端部とに設けられる。このうち、構造フレーム２１の一方側であって、延設基端部に相当する位置には、住宅建物４の竪樋４０の径に相当する幅で化粧カバー２２が設けられていない部分が設けられている。
【００２１】
排水桝２０は、図８に示すように、この化粧カバー２２が設けられていない構造フレーム２１の一方側の延設基端部に設けられる。この排水桝２０は、水平方向の排水の流れを下方向へと変えることができるように断面略Ｌ字状となされた四角筒状に形成されており、水平方向に排水が流れる天面部分は開口するようになされている。また、この排水桝２０は、床フレーム２の延設基端側、すなわち、住宅建物４の外壁４１と隣接する部分には充分な接着面２０ａが確保され、床フレーム２の延設先端側、すなわち、化粧カバー２２と隣接する部分には、水密材５を介して化粧カバー２２を接合するための取付リブ２０ｂが形成されている。
【００２２】
床板３は、長手方向に沿った一方側に溝部３０が設けられてなるアルミニウム製の押出し板３１の両側面に、断面溝型で長尺に形成された枠材３２をビス固定している。押出し板３１の裏面には補強リブ３１ａが形成されており、枠材３２の背には水密テープ５１を接着しており、床板３は、押出し板３１と枠材３２との間で水密テープ５１を挟むようにして枠材３２を押出し板３１の両側端面の補強リブ３１ａの部分にビス固定することで、押出し板３１と枠材３２との間の防水機能を持たせている。この床板３は、床フレーム２の延設基端部側に溝部３０が位置するようにして、この床フレーム２上に設けられる。この際、床板３の溝部３０と床フレーム２の排水桝２０とが合致して連続するように、この排水桝２０に相当する部分、すなわち、床板３の一方側の延設基端部の枠材３２の部分が開口され、この開口部３３から溝部３０が外側に突出するようになされている。また、床板３は、床フレーム２に固定した状態で、延設基端部側に溝部３０が位置するようにしているので、床板３に降った雨水が、押出し板３１の延設先端部側から延設基端部側に流れて溝部３０に流れ込むことができるように、延設先端部側から延設基端部側に向かって下る水勾配が設けられている。この水勾配は、押出し板３１の裏面に形成された補強リブ３１ａの高さを調整することによって形成されている。
【００２３】
この床板３は、床フレーム２の化粧カバー２２の天面部分に水密材５を介して、この床フレーム２上に設けられ、床板３の押出し板３１および枠材３２の部分が床フレーム２の構造フレーム２１や化粧カバー２２などの部分にビス固定される。
【００２４】
このようにして構成されるバルコニー１は、床フレーム２の化粧カバー２２や、床板３の押出し板３１に、アルミニウム製の押出し材を用いて軽量化を図っているため、床フレーム２と床板３とを工場であらかじめ一体化して構成しても、重くなって取扱い性が低下するといったことを防止することができる。また、バルコニー１に用いられているアルミニウム製の押出し材は、押出し長さを調整することで、色々なサイズに対応することができるので、継ぎ目の無い一体構造のバルコニー１を構成することができ、現場でのユニット同士の接続作業などを無くすことができる。
【００２５】
したがって、図３に示すように、バルコニー１は、工場で組み立てたそのままの状態で現場に持ち込んで、住宅建物４の躯体から延設されたバルコニー１の取付位置の腕木４２の上に載せ、外壁４１との間に水密材５を介して固定するだけの簡単な作業で施工することができる。
【００２６】
この固定の際、バルコニー１には、床板３の溝部３０から連続する排水桝２０も既に構成されているので、この排水桝２０を住宅建物４の外壁４１に沿って設けられた竪樋４０に合致させれば、バルコニー１の排水管の取り回しなどを考える必要も無く簡単に施工完了することができる。
【００２７】
バルコニー１を固定した後は、図４に示すように、床板３の枠材３２の外側に位置する床フレーム２の化粧カバー２２の部分に手摺り柱６１を立設させる。
【００２８】
そして、図５に示すように、この手摺り柱６１間に手摺り壁６を完成させる。この手摺り壁６は、枠材３２の天面部分に水密材５を設け、この枠材３２の水密材５の部分から床フレーム２の化粧カバー２２の部分にわたる手摺り柱６１間に下枠６２を固定した後、手摺り柱６１と、下枠６２と、上枠（図示省略）とによって形成される各区画部分に面材６３を設けて構成される。
【００２９】
なお、手摺り壁６は、手摺り柱６１の外側のカバー部分６１ａと、下枠６２と上枠（図示省略）とをあからじめ一体に構成しておき、先にバルコニー１に設けておいた柱本体６１ｂにカバー部分６１ａを挿通させるようにして一挙に仕上げるようにしたものであってもよい。
【００３０】
その後、図６に示すように、排水桝２０の開口された天面部分にも、手摺り壁６の下枠６２と同様に形成された排水桝２０専用の下枠６０を設ける。また、住宅建物４の外壁４１に、水密材５を介して当接される床板３の押出し板３１の部分には、カバー材７が設けられる。このカバー材７は、押出し板３１の立ち上がりリブ部分３１ｂに下端部を係止させた状態で上端部側を外壁４１にビス固定して施工される。
【００３１】
このように、このバルコニー１の施工では、バルコニー１の周囲の立ち上がり部分、すなわち押出し板３１および枠材３２の部分に直接手摺り壁６の下枠６２を固定して手摺り壁６を形成することができるので、従来のようにバルコニー１の周囲の立ち上がり部分と手摺り壁６との間の防水処理などに手間取ることなく簡単に施工することができる。
【００３２】
また、このようにして施工されたバルコニー１は、床板３に降った雨水などが、延設先端部側から延設基端部側へと流れて溝部３０へと流れ込む。そして、この溝部３０からは、床フレーム２の延設基端部の一方側に設けられた排水桝２０を介して直接竪樋４０へと排水することができる。したがって、バルコニー１と竪樋４０とを連絡するために余分な排水管などを取り回す必要が無く、簡単に施工できるとともに、住宅建物４の外観に優れた意匠性を持たせることができる。
【００３３】
例えば、図９に示すように、バルコニー１の幅が長いような場合、床フレーム２の延設基端部の両方側に排水桝２０を設けて竪樋４０へと排水するように構成し、バルコニー１の両側から下に竪樋４０による二本のラインを強調する住宅建物４とすることができる。この場合、竪樋４０は、余分な排水管などが接続されておらず、バルコニー１の両側から下にそれぞれ直線状に延びているだけなので、外壁４１の表面に設けられる化粧材と同等に住宅建物４の意匠性を強調することができる。この場合、竪樋４０は、住宅建物４の外壁４１と協調するような色や素材で構成されたものであってもよい。
【００３４】
また、図１０に示すように、バルコニー１の排水桝２０の上方には、住宅建物４の屋根４３からの排水を流す竪樋４０が連続するように設けられて住宅建物４の意匠性を強調するようにしたものであってもよい。この場合、バルコニー１は、排水桝２０に設けられる下枠６０を設けずに排水桝２０の上方に竪樋４０が接続するように接続すればよい。
【００３５】
なお、住宅建物４としては、バルコニー１を設ける建物であれば、一戸建てであっても、マンションやアパートのような共同住宅であっても適用することができる。
【産業上の利用可能性】
【００３６】
住宅建物のバルコニーとして利用できる。
【図面の簡単な説明】
【００３７】
【図１】本発明に係るバルコニーの全体構成の概略を示す分解斜視図である。
【図２】本発明に係るバルコニーの全体構成の概略を示す斜視図である。
【図３】本発明に係るバルコニーの施工工程における排水桝部分の部分破断斜視図である。
【図４】本発明に係るバルコニーの施工工程における排水桝部分の部分破断斜視図である。
【図５】本発明に係るバルコニーの施工工程における排水桝部分の部分破断斜視図である。
【図６】本発明に係るバルコニーの施工工程における排水桝部分の部分破断斜視図である。
【図７】本発明に係るバルコニーを施工した住宅建物の正面図である。
【図８】本発明に係るバルコニーの排水桝を示す斜視図である。
【図９】本発明に係るバルコニーを施工した住宅建物の他の実施の形態を示す正面図である。
【図１０】（ａ）および（ｂ）は、本発明に係るバルコニーを施工した住宅建物のさらに他の実施の形態を示す正面図である。
【符号の説明】
【００３８】
１  バルコニー
２  床フレーム
２１  構造フレーム
２２  化粧カバー
２０  排水桝
３  床板
３０  排水溝
４  住宅建物
４０  竪樋
４１  外壁
４２  腕木
【図１】
2006307545.tif 000003
【図２】
2006307545.tif 000004
【図３】
2006307545.tif 000005
【図４】
2006307545.tif 000006
【図５】
2006307545.tif 000007
【図６】
2006307545.tif 000008
【図７】
2006307545.tif 000009
【図８】
2006307545.tif 000010
【図９】
2006307545.tif 000011
【図１０】
2006307545.tif 000012